(57)【要約】【課題】  音楽データを、この音楽データを過去に再生したことのある場所で自動的に再生できるようにすること。【解決手段】  ポータブルＭＰ３プレイヤ１０は、曲データを再生した位置を示す再生位置情報を曲データと対応付けて記憶部１０７に記憶する一方で、ポータブルＭＰ３プレイヤ１０の現在位置を測定し、測定して得られた現在位置情報と、曲データと対応付けて記憶部１０７に記憶されている再生位置情報とを比較する。そして、ポータブルＭＰ３プレイヤ１０は、現在位置情報がいずれかの再生位置情報と一致した場合に、一致した再生位置情報と対応付けられている曲データを読み出して再生する。【選択図】      図１
2006201478.tif 000002
【特許請求の範囲】
【請求項１】
音楽データを再生する再生装置において、
当該再生装置の位置を示す位置情報を取得する位置取得手段と、
音楽データを再生する再生手段と、
記憶手段と、
前記再生手段により音楽データが再生された際の当該再生装置の位置情報を前記位置取得手段により取得し、当該位置情報を前記音楽データと対応付けて前記記憶手段に記憶する記憶制御手段と、
当該再生装置の現在位置を示す位置情報を前記位置取得手段により取得し、当該位置情報と、前記記憶手段に記憶されている位置情報とを比較する比較手段と、
前記比較手段による比較結果が一致した場合に、一致した位置情報と対応付けられている音楽データを取得する音楽データ取得手段と、
前記音楽データ取得手段により取得された音楽データを前記再生手段により再生させる再生制御手段と
を具備することを特徴とする再生装置。
【請求項２】
前記記憶手段に記憶されている位置情報と音楽データの組み合わせの中から任意の組み合わせを指定する指定手段をさらに具備し、
前記比較手段は、当該再生装置の現在位置を示す位置情報を前記位置取得手段により取得し、当該位置情報と、前記記憶手段に記憶されている位置情報のうち、前記指定手段により指定された組み合わせに対応する位置情報とを比較する
ことを特徴とする請求項１に記載の再生装置。
【請求項３】
音楽データを再生する複数の再生装置と、当該複数の再生装置において再生される音楽データを管理する管理装置とを具備する音楽データ再生システムにおいて、
前記管理装置は、
前記複数の再生装置の各々から、当該再生装置において再生された音楽データの識別情報と、前記音楽データが再生された位置を示す位置情報とを受信する第１の受信手段と、
前記第１の受信手段により受信された識別情報と位置情報の複数の組に基づいて、同じ場所で予め定められた回数以上再生された音楽データを特定する特定手段と、
前記特定手段により特定された音楽データまたは当該音楽データの識別情報と、当該音楽データが再生された位置を示す位置情報とを前記複数の再生装置のうちの少なくとも１台に送信する第１の送信手段とを具備し、
前記複数の再生装置の各々は、
当該再生装置の位置を示す位置情報を取得する位置取得手段と、
音楽データを再生する再生手段と、
前記再生手段により音楽データが再生された際の当該再生装置の位置情報を前記位置取得手段により取得し、当該位置情報と、前記音楽データの識別情報とを前記管理装置へ送信する第２の送信手段と、
前記第１の送信手段により送信された、音楽データまたは当該音楽データの識別情報と、位置情報とを受信する第２の受信手段と、
記憶手段と、
前記第２の受信手段により受信された、音楽データまたは当該音楽データの識別情報と、位置情報とを対応付けて前記記憶手段に記憶する記憶制御手段と、
当該再生装置の現在位置を示す位置情報を前記位置取得手段により取得し、当該位置情報と、前記記憶手段に記憶されている位置情報とを比較する比較手段と、
前記比較手段による比較結果が一致した場合に、一致した位置情報と対応付けられている音楽データを取得する音楽データ取得手段と、
前記音楽データ取得手段により取得された音楽データを前記再生手段により再生させる再生制御手段とを具備する
ことを特徴とする音楽データ再生システム。
【請求項４】
前記複数の再生装置の各々は、
前記再生手段により音楽データが再生された際の当該再生装置の位置情報を前記位置取得手段により取得し、当該位置情報と前記音楽データの識別情報との組み合わせを蓄積する蓄積手段と、
前記蓄積手段により蓄積された位置情報と音楽データの識別情報の組み合わせの中から任意の組み合わせを指定する指定手段とをさらに具備し、
前記第２の送信手段は、前記指定手段により指定された組み合わせに対応する位置情報と音楽データの識別情報とを前記管理装置へ送信する
ことを特徴とする請求項３に記載の音楽データ再生システム。
【請求項５】
コンピュータを、
当該コンピュータの位置を示す位置情報を取得する位置取得手段と、
音楽データを再生する再生手段と、
前記再生手段により音楽データが再生された際の当該コンピュータの位置情報を前記位置取得手段により取得し、当該位置情報を前記音楽データと対応付けてメモリに記憶する記憶制御手段と、
当該コンピュータの現在位置を示す位置情報を前記位置取得手段により取得し、当該位置情報と、前記メモリに記憶されている位置情報とを比較する比較手段と、
前記比較手段による比較結果が一致した場合に、一致した位置情報と対応付けられている音楽データを取得する音楽データ取得手段と、
前記音楽データ取得手段により取得された音楽データを前記再生手段により再生させる再生制御手段
として機能させるためのプログラム。
【発明の詳細な説明】
【技術分野】
【０００１】
本発明は、音楽データの再生を位置に応じて制御する技術に関する。
【背景技術】
【０００２】
特許文献１には、オーディオ機器の現在位置をＧＰＳ（Global Positioning System）受信機を用いて測定し、オーディオ機器が位置している場所の位置カテゴリ（高速道路、サービスエリア、公園、浜辺等）を特定するとともに、特定した位置カテゴリと対応付けられている曲のジャンル（軽快な曲、なごみ系の曲、落ち着いた曲、爽快な曲等）を求め、求められたジャンルに属している曲データを再生することが記載されている。また、特許文献２には、静止画や動画等の画像を撮像する機能と、音楽データを再生する機能とを兼ね備えた電子機器において、撮像して得られた画像データと、この画像を撮像した際に再生していた音楽データとをリンクさせたり、あるいは撮像して得られた画像データと、この画像を撮像した場所に関係する音楽データとをリンクさせることで、撮像した画像データを表示する際に、この画像データとリンクさせた音楽データを同時に再生できるようにしたことが記載されている。
【特許文献１】特開２００４−０８６１８９号公報
【特許文献２】特開２００３−２０９７７８号公報
【発明の開示】
【発明が解決しようとする課題】
【０００３】
特許文献１に記載されたオーディオ機器は、現在位置している場所に見合った曲データを再生することができる。また、特許文献２に記載された電子機器は、撮像した画像を表示する際に関連する音楽データを再生することができる。ところで、例えば、初めてのデートで海岸線をドライブしていたときに流れていた曲等、多くの人は、一般に「思い出の曲」と呼ばれる、過去の印象深い出来事と関連する曲を覚えている。つまり、人は、過去の印象深い出来事と、そのときに流れていた曲とを関連付けて覚えていることが多い。そして、このような「思い出の曲」は、その出来事が起きた場所を再び訪れた際に、再び聴きたくなることが多い。
【０００４】
本発明は、以上説明した事情に鑑みてなされたものであり、その目的は、音楽データを、この音楽データを過去に再生したことのある場所で自動的に再生できるようにすることである。
【課題を解決するための手段】
【０００５】
上記課題を解決するため、本発明は、音楽データを再生する再生装置において、当該再生装置の位置を示す位置情報を取得する位置取得手段と、音楽データを再生する再生手段と、記憶手段と、前記再生手段により音楽データが再生された際の当該再生装置の位置情報を前記位置取得手段により取得し、当該位置情報を前記音楽データと対応付けて前記記憶手段に記憶する記憶制御手段と、当該再生装置の現在位置を示す位置情報を前記位置取得手段により取得し、当該位置情報と、前記記憶手段に記憶されている位置情報とを比較する比較手段と、前記比較手段による比較結果が一致した場合に、一致した位置情報と対応付けられている音楽データを取得する音楽データ取得手段と、前記音楽データ取得手段により取得された音楽データを前記再生手段により再生させる再生制御手段とを具備することを特徴とする。
【０００６】
また、本発明は、コンピュータを、当該コンピュータの位置を示す位置情報を取得する位置取得手段と、音楽データを再生する再生手段と、前記再生手段により音楽データが再生された際の当該コンピュータの位置情報を前記位置取得手段により取得し、当該位置情報を前記音楽データと対応付けてメモリに記憶する記憶制御手段と、当該コンピュータの現在位置を示す位置情報を前記位置取得手段により取得し、当該位置情報と、前記メモリに記憶されている位置情報とを比較する比較手段と、前記比較手段による比較結果が一致した場合に、一致した位置情報と対応付けられている音楽データを取得する音楽データ取得手段と、前記音楽データ取得手段により取得された音楽データを前記再生手段により再生させる再生制御手段として機能させるためのプログラムを提供する。
【０００７】
本発明によれば、再生装置（コンピュータ）は、音楽データを再生した位置を示す位置情報を取得して音楽データと対応付けて記憶手段に記憶する一方、再生装置の現在位置を取得し、当該現在位置が記憶手段に記憶されている位置情報と一致した場合に、一致した位置情報と対応付けられている音楽データを再生する。
【０００８】
なお、上記構成を有する再生装置において、前記記憶手段に記憶されている位置情報と音楽データの組み合わせの中から任意の組み合わせを指定する指定手段をさらに具備し、前記比較手段は、当該再生装置の現在位置を示す位置情報を前記位置取得手段により取得し、当該位置情報と、前記記憶手段に記憶されている位置情報のうち、前記指定手段により指定された組み合わせに対応する位置情報とを比較するようにしてもよい。
【０００９】
また、上記構成を有する再生装置において、前記記憶制御手段は、前記再生手段により音楽データが再生された際の当該再生装置の位置情報を前記位置取得手段により取得し、取得した位置情報を前記音楽データに付加して当該音楽データを記憶手段に記憶し、前記音楽データ取得手段は、前記比較手段による比較結果が一致した場合に、一致した位置情報が付加されている音楽データを前記記憶手段から読み出すようにしてもよい。また、位置情報が付加された音楽データを受信する受信手段をさらに具備し、前記記憶制御手段は、前記再生手段により音楽データが再生された際の当該再生装置の位置情報を前記位置取得手段により取得し、取得した位置情報を前記音楽データに付加して当該音楽データを記憶手段に記憶することに加え、前記受信手段により受信された音楽データを前記記憶手段に記憶するようにしてもよい。
【００１０】
さらに、上記構成を有する再生装置において、前記記憶制御手段は、前記再生手段により音楽データが再生された際の当該再生装置の位置情報を前記位置取得手段により取得し、当該位置情報と前記音楽データの識別情報とを対応付けて記憶手段に記憶し、前記音楽データ取得手段は、前記比較手段による比較結果が一致した場合に、一致した位置情報と対応付けられている識別情報を前記記憶手段から読み出し、当該識別情報によって特定される音楽データを取得するようにしてもよい。また、前記音楽データ取得手段は、前記比較手段による比較結果が一致した場合に、一致した位置情報と対応付けられている識別情報を前記記憶手段から読み出し、当該識別情報によって特定される音楽データを外部装置と通信を行って取得するようにしてもよい。
【００１１】
また、音楽データを再生する再生装置を、当該再生装置の位置を示す位置情報を取得する位置取得手段と、当該再生装置に装着された記録媒体に記録されている音楽データを読み出して再生する再生手段と、記憶手段と、前記再生手段により音楽データが再生された際の当該再生装置の位置情報を前記位置取得手段により取得し、当該位置情報を前記音楽データと対応付けて前記記憶手段に記憶する記憶制御手段と、当該再生装置の現在位置を示す位置情報を前記位置取得手段により取得し、当該位置情報と、前記記憶手段に記憶されている位置情報のうち、当該再生装置に装着中の記録媒体に記憶されている音楽データと対応付けられた位置情報とを比較する比較手段と、前記比較手段による比較結果が一致した場合に、一致した位置情報と対応付けられている音楽データを前記記録媒体から読み出す読出手段と、前記読出手段により読み出された音楽データを前記再生手段により再生させる再生制御手段とを具備するように構成してもよい。
【００１２】
また、コンピュータを、当該コンピュータの位置を示す位置情報を取得する位置取得手段と、当該コンピュータに装着された記録媒体に記録されている音楽データを読み出して再生する再生手段と、前記再生手段により音楽データが再生された際の当該コンピュータの位置情報を前記位置取得手段により取得し、当該位置情報を前記音楽データと対応付けてメモリに記憶する記憶制御手段と、当該コンピュータの現在位置を示す位置情報を前記位置取得手段により取得し、当該位置情報と、前記メモリに記憶されている位置情報のうち、当該コンピュータに装着中の記録媒体に記憶されている音楽データと対応付けられた位置情報とを比較する比較手段と、前記比較手段による比較結果が一致した場合に、一致した位置情報と対応付けられている音楽データを前記記録媒体から読み出す読出手段と、前記読出手段により読み出された音楽データを前記再生手段により再生させる再生制御手段として機能させるためのプログラムを提供してもよい。
【００１３】
このような構成とすれば、再生装置（コンピュータ）は、当該再生装置に対して着脱自在な記録媒体に記録されている音楽データを読み出して再生した際に、音楽データを再生した位置を示す位置情報を取得して音楽データと対応付けて記憶手段に記憶する一方、再生装置の現在位置を取得し、当該現在位置が、記憶手段に記憶されている位置情報のうち、再生装置に装着中の記録媒体に記憶されている音楽データと対応付けられた位置情報と一致した場合に、一致した位置情報と対応付けられている音楽データを記録媒体から読み出して再生することができる。
【００１４】
また、本発明は、音楽データを再生する複数の再生装置と、当該複数の再生装置において再生される音楽データを管理する管理装置とを具備する音楽データ再生システムにおいて、前記管理装置は、前記複数の再生装置の各々から、当該再生装置において再生された音楽データの識別情報と、前記音楽データが再生された位置を示す位置情報とを受信する第１の受信手段と、前記第１の受信手段により受信された識別情報と位置情報の複数の組に基づいて、同じ場所で予め定められた回数以上再生された音楽データを特定する特定手段と、前記特定手段により特定された音楽データまたは当該音楽データの識別情報と、当該音楽データが再生された位置を示す位置情報とを前記複数の再生装置のうちの少なくとも１台に送信する第１の送信手段とを具備し、前記複数の再生装置の各々は、当該再生装置の位置を示す位置情報を取得する位置取得手段と、音楽データを再生する再生手段と、前記再生手段により音楽データが再生された際の当該再生装置の位置情報を前記位置取得手段により取得し、当該位置情報と、前記音楽データの識別情報とを前記管理装置へ送信する第２の送信手段と、前記第１の送信手段により送信された、音楽データまたは当該音楽データの識別情報と、位置情報とを受信する第２の受信手段と、記憶手段と、前記第２の受信手段により受信された、音楽データまたは当該音楽データの識別情報と、位置情報とを対応付けて前記記憶手段に記憶する記憶制御手段と、当該再生装置の現在位置を示す位置情報を前記位置取得手段により取得し、当該位置情報と、前記記憶手段に記憶されている位置情報とを比較する比較手段と、前記比較手段による比較結果が一致した場合に、一致した位置情報と対応付けられている音楽データを取得する音楽データ取得手段と、前記音楽データ取得手段により取得された音楽データを前記再生手段により再生させる再生制御手段とを具備することを特徴とする。
【００１５】
本発明によれば、再生装置は、音楽データ再生システムに含まれる複数の再生装置において再生された音楽データのうち、同じ場所で予め定められた回数以上再生された音楽データを、当該音楽データが予め定められた回数以上再生された場所で再生することができる。
【００１６】
なお、上記構成を有する音楽データ再生システムにおいて、前記複数の再生装置の各々は、前記再生手段により音楽データが再生された際の当該再生装置の位置情報を前記位置取得手段により取得し、当該位置情報と前記音楽データの識別情報との組み合わせを蓄積する蓄積手段と、前記蓄積手段により蓄積された位置情報と音楽データの識別情報の組み合わせの中から任意の組み合わせを指定する指定手段とをさらに具備し、前記第２の送信手段は、前記指定手段により指定された組み合わせに対応する位置情報と音楽データの識別情報とを前記管理装置へ送信するようにしてもよい。
【００１７】
また、上記構成を有する音楽データ再生システムにおいて、前記記憶制御手段は、前記第２の受信手段により受信された、音楽データまたは当該音楽データの識別情報と、位置情報とを対応付けて前記記憶手段に記憶することに加え、前記再生手段により音楽データが再生された際の当該再生装置の位置情報を前記位置取得手段により取得し、当該位置情報を前記音楽データと対応付けて記憶手段に記憶するようにしてもよい。
【発明の効果】
【００１８】
本発明によれば、音楽データを、この音楽データを過去に再生したことのある場所で自動的に再生することができる。
【発明を実施するための最良の形態】
【００１９】
［Ａ．実施形態］
以下、図面を参照して本発明の実施形態について説明する。
図１は、本発明に係るポータブルＭＰ３（MPEG Audio Layer-3）プレイヤ１０の構成を示すブロック図である。本実施形態におけるポータブルＭＰ３プレイヤ１０は、通信インタフェース１０５を介してパーソナルコンピュータ等の外部機器と通信を行って曲データを取得し、取得した曲データを記憶部１０６に記憶するとともに、記憶部１０６に記憶された曲データの中からユーザ等によって指定された曲データを読み出して再生することができる。
【００２０】
同図において、制御部１０１は、ＣＰＵ（Central Processing Unit）、ＲＯＭ（Read Only Memory）、ＲＡＭ（Random Access Memory）を備え、ＲＯＭや記憶部１０６に記憶されているプログラムを実行することでポータブルＭＰ３プレイヤ１０の各部を制御する。また、この制御部１０１は、日時（年月日時分秒）を計時する機能を有している。位置検出部１０２は、ＧＰＳ受信機を内蔵しており、ＧＰＳ受信機を用いてポータブルＭＰ３プレイヤ１０の位置を測定し、緯度および経度からなるポータブルＭＰ３プレイヤ１０の位置情報を得ることができる。
【００２１】
なお、位置情報には、緯度・経度情報に加え、高度情報が含まれていてもよい。また、位置情報として、緯度・経度情報から割り出された住所情報（例えば、静岡県浜松市中沢町）を用いてもよい。さらに、位置情報は、緯度・経度情報のようにポータブルＭＰ３プレイヤ１０の位置をピンポイントで指定するものであってもよいし、行政区域を指定する住所情報のように、ポータブルＭＰ３プレイヤ１０が位置しているエリアを指定するエリア指定情報であってもよい。
【００２２】
操作部１０３は、例えば、曲データの再生、停止、早送り、巻戻し等を指示する操作子や、音量を調節するための操作子等を備えている。表示部１０４には、再生している曲データについての情報や音量に関する情報等が表示される。通信インタフェース１０５は、パーソナルコンピュータ等の外部機器との通信を制御する。なお、外部機器との通信は、有線通信以外に無線通信や赤外線通信であってもよい。記憶部１０６は、例えば、ハードディスクやＥＥＰＲＯＭ（Electronically Erasable and Programmable ROM）等であって、後述する再生位置登録処理（図４参照）や位置監視処理（図５参照）を制御するソフトウェア（プログラム）が記憶されている。また、この記憶部１０６には、外部機器から取得された曲データが多数記憶される。なお、本実施形態において外部機器から取得される曲データは、ＭＰ３形式で圧縮されている。
【００２３】
サウンド処理部１０７は、図示を省略したＰＣＭ（Pulse Code Modulation）音源や、デコード部１０８、バッファ１０９、信号処理部１１０、Ｄ／Ａ（Digital/Analog）変換器１１１、アンプ１１２等を備え、記憶部１０６から読み出された曲データを再生し、スピーカやイヤホンジャックが備わる出力部１１３から曲データに従った楽音や音声を出力する。なお、デコード部１０８は、記憶部１０６から読み出された曲データ（ＭＰ３ファイル）を伸張する。また、信号処理部１１０は、曲データについてのデジタル音声信号を生成する。
【００２４】
また、図２に示すように、記憶部１０６に記憶される曲データ２０には、この曲データ２０を再生した際のポータブルＭＰ３プレイヤ１０の位置情報（以下、本明細書では「再生位置情報」と記載する）と、この曲データ２０を再生した日時を示す再生日時情報（年月日時分秒）とがＩＤ３タグを用いて付加される。なお、再生位置情報と再生日時情報は、１つの曲データ２０に対して複数付加することが可能である。また、再生位置情報と再生日時情報を曲データ２０に付加するタグの種類は、ＩＤ３タグに限定されるものではない。また、再生位置情報と再生日時情報は、ヘッダ情報として曲データに付加されてもよい。さらに、図３に示すように、再生した曲データの識別情報（曲名や曲ＩＤ等）と、この曲データについての再生位置情報および再生日時情報とが対応付けられて登録される再生位置登録テーブル３０が記憶部１０６に記憶される構成であってもよい。
【００２５】
次に、ポータブルＭＰ３プレイヤ１０の動作を説明する。
図４は、ポータブルＭＰ３プレイヤ１０において実行される再生位置登録処理のフローチャートである。この再生位置登録処理は、ポータブルＭＰ３プレイヤ１０において再生する曲データが指定されると、制御部１０１（ＣＰＵ）により実行される。なお、勿論であるが、ポータブルＭＰ３プレイヤ１０の記憶部１０６には、再生位置登録処理が実行される時点よりも前の段階で、パーソナルコンピュータ等の外部機器を用いてサーバからダウンロードされた曲データが少なくとも１曲以上記憶されているものとする。
【００２６】
まず、制御部１０１は、指定された曲データの再生処理を開始する（ステップＳ１０１）。すなわち、制御部１０１は、再生する曲データを記憶部１０６から読み出してサウンド処理部１０７へ転送する。これに応じてサウンド処理部１０７は、転送された曲データについての再生処理を開始し、この曲データに従った楽音や音声を出力部１１３から順次出力する。
【００２７】
次いで、制御部１０１は、位置検出部１０２に対して位置の検出を指示する。この指示に応じて位置検出部１０２は、ＧＰＳ受信機を用いてポータブルＭＰ３プレイヤ１０の現在位置を測定し、ステップＳ１０１において再生処理が開始された曲データについて、緯度情報および経度情報からなる再生位置情報を取得する（ステップＳ１０２）。また、制御部１０１は、ステップＳ１０１において再生処理が開始された曲データについて、この曲データの再生を開始した日時を示す再生日時情報を取得する（ステップＳ１０３）。
【００２８】
この後、制御部１０１は、ステップＳ１０１において再生処理が開始された曲データに対し、ステップＳ１０２において取得した再生位置情報と、ステップＳ１０３において取得した再生日時情報とをＩＤ３タグを用いて付加する（ステップＳ１０４）。このステップＳ１０４の処理により、記憶部１０６に記憶されている曲データのうち、１度でも再生された曲データについては、この曲データを再生した際のポータブルＭＰ３プレイヤ１０の位置情報（再生位置情報）と、この曲データを再生した日時情報（再生日時情報）とが付加される。
【００２９】
なお、前述したように、再生位置情報および再生日時情報は、１つの曲データに対して複数付加することが可能である。また、これらの再生位置情報および再生日時情報は、ヘッダ情報として曲データに付加されてもよいし、図３に示したように、再生した曲データの識別情報と対応付けられて再生位置登録テーブル３０に登録されてもよい。また、再生位置情報は、例えば、「静岡県浜松市中沢町」等といった行政区域を指定する住所情報のように、ポータブルＭＰ３プレイヤ１０が位置しているエリアを指定するエリア指定情報であってもよい。
【００３０】
このようにポータブルＭＰ３プレイヤ１０では、再生した曲データと、この曲データについての再生位置情報および再生日時情報とを対応付けて記憶部１０６に記憶すると、図４に示した再生位置登録処理を終える。
【００３１】
次に、図５は、ポータブルＭＰ３プレイヤ１０において実行される位置監視処理のフローチャートである。この位置監視処理は、図４に示した再生位置登録処理によって、少なくとも１曲以上の曲データについて、再生位置情報と再生日時情報とがタグ付けされた後、ポータブルＭＰ３プレイヤ１０において主電源が投入されている間に、予め定められた周期で制御部１０１により実行される。
【００３２】
同図に示すように、まず、制御部１０１は、位置検出部１０２に対して位置の検出を指示する。この指示に応じて位置検出部１０２は、ＧＰＳ受信機を用いてポータブルＭＰ３プレイヤ１０の現在位置を測定し、緯度情報および経度情報からなるポータブルＭＰ３プレイヤ１０の現在位置情報を取得する（ステップＳ２０１）。次いで、制御部１０１は、ステップＳ２０１において取得した現在位置情報と、曲データにタグ付けされて記憶部１０６に記憶されている１以上の再生位置情報とを比較する（ステップＳ２０２）。
【００３３】
つまり、制御部１０１は、ポータブルＭＰ３プレイヤ１０の現在位置と、記憶部１０６に記憶されている１以上の曲データの再生位置とを比較して、ポータブルＭＰ３プレイヤ１０の現在位置が、過去に曲データを再生した位置であるか否かを判別する。なお、図３に示したように、再生位置情報が再生位置登録テーブル３０に登録されている場合、制御部１０１は、ステップＳ２０１において取得した現在位置情報と、再生位置登録テーブル３０の「再生位置情報」欄に格納されている位置情報とを比較することとなる。その結果、ステップＳ２０１において取得した現在位置情報がいずれの再生位置情報とも一致しなかった場合（ステップＳ２０３：ＮＯ）、制御部１０１は、図５に示した位置監視処理を終える。
【００３４】
一方、ステップＳ２０１において取得した現在位置情報がいずれかの再生位置情報と一致した場合（ステップＳ２０３：ＹＥＳ）、制御部１０１は、一致した再生位置情報がタグ付けされている曲データの再生処理を開始する（ステップＳ２０４）。すなわち、一致した再生位置情報が付加されている曲データが記憶部１０６から読み出されてサウンド処理部１０７にて再生処理され、この曲データに従った楽音や音声が出力部１１３から出力される。このように本実施形態に係るポータブルＭＰ３プレイヤ１０は、記憶部１０６に記憶されている曲データを、この曲データを過去に再生したことのある場所で自動的に再生するのである。
【００３５】
なお、再生位置情報が再生位置登録テーブル３０に登録されている場合、制御部１０１は、ステップＳ２０１において取得した現在位置情報が、再生位置登録テーブル３０に登録されているいずれかの再生位置情報と一致した場合に、一致した再生位置情報によって特定される曲データを記憶部１０６から読み出してサウンド処理部１０７へと転送する。また、このように再生位置登録テーブル３０を用いて曲データの再生位置情報を管理する場合、曲データの識別情報と、再生位置情報および再生日時情報とが再生位置登録テーブル３０に登録されているものの、曲データ自体が既に記憶部１０６から削除されてしまっている場合がある。したがって、再生位置登録テーブル３０を用いて曲データの再生位置情報を管理する場合、制御部１０１は、記憶部１０６から曲データを削除するのと同期して、削除した曲データについての再生位置情報や再生日時情報を再生位置登録テーブル３０から削除する構成としてもよい。
【００３６】
また、上記ステップＳ２０３において、現在位置情報と一致する再生位置情報がタグ付けされた曲データが複数存在する場合、制御部１０１は、該当する複数の曲データについて、再生日時情報を参照し、例えば、以下の（１）〜（４）に示すように、再生する曲データを制御することができる。
【００３７】
（１）現在時刻（時分秒）を取得して再生日時情報（時分秒）と比較し、再生された時間帯（例えば、５〜１０時、１０時〜１５時、１５時〜１９時、１９時〜２３時、２３時〜５時）が同じ曲データを選択して再生する。
（２）現在の月日と再生日時情報（月日）とを比較し、再生された季節（例えば、春（３月〜５月）、夏（６月〜８月）、秋（９月〜１１月）、冬（１２月〜２月））が同じ曲データを選択して再生する。
（３）再生日時が最も古い（あるいは最も新しい）曲データを選択して再生する。
（４）再生日時がより古いもの（あるいは新しいもの）から順に、曲データを１曲ずつ順番に再生する。
【００３８】
以上説明したように本実施形態によれば、ポータブルＭＰ３プレイヤ１０は、曲データを再生した位置を示す再生位置情報を曲データと対応付けて記憶部１０６に記憶する一方で、ポータブルＭＰ３プレイヤ１０の現在位置を測定し、測定して得られた現在位置情報と、曲データと対応付けて記憶部１０６に記憶されている再生位置情報とを比較する。そして、ポータブルＭＰ３プレイヤ１０は、現在位置情報がいずれかの再生位置情報と一致した場合に、一致した再生位置情報と対応付けられている曲データを読み出して再生する。したがって、ポータブルＭＰ３プレイヤ１０は、記憶部１０６に記憶されている曲データを、この曲データを過去に再生したことのある場所で自動的に再生することができる。
【００３９】
なお、ポータブルＭＰ３プレイヤ１０（コンピュータ）は、記憶部１０６にインストールされているプログラムに従って本発明に係る再生位置登録処理（図４参照）や位置監視処理（図５参照）を実行するが、このプログラムを通信によってポータブルＭＰ３プレイヤ１０へと送信し、記憶部１０６にインストールしてもよい。また、このプログラムをＣＤ−ＲＯＭ（Compact Disk Read Only Memory）やＤＶＤ（Digital Versatile Disk）、メモリカード等のコンピュータが読み取り可能な記録媒体に記録して提供してもよい。
【００４０】
［Ｂ．変形例］
（１）上述した実施形態では、１度でも再生したことのある曲データであれば、この曲データを過去に再生したことのある場所で自動的に再生するようにした。しかしながら、このような構成では、自動的に再生される曲が、思い出の曲であるか否かが不明である。そこで、例えば、今までに再生した曲データの一覧を示す曲目リストを表示部１０４に表示し、その中から操作部１０３を操作して思い出の曲をユーザに指定してもらい、指定された曲のみを過去に再生したことのある場所で自動的に再生する構成としてもよい。つまり、現在位置情報と比較する再生位置情報を、曲データと対応付けて記憶部１０６に記憶されている再生位置情報のうち、ユーザが操作部１０３を操作して指定した曲データについての再生位置情報のみに制限する構成としてもよい。また、このような思い出の曲は、今までに何度も再生されている可能性が高く、再生位置情報が複数登録されている可能性が高い。そこで、再生する場所についても、登録されている複数の再生位置情報を表示部１０４に表示し、その中からユーザによって指定された再生位置情報のみに制限する構成としてもよい。
【００４１】
つまり、例えば、図３に示した再生位置登録テーブル３０に登録されている曲データの識別情報と再生位置情報の組み合わせの一覧を表示部１０４に表示し、その中からユーザが操作部１０３を操作して指定した組み合わせに対応する再生位置情報のみを、現在位置情報と比較する再生位置情報としてもよい。勿論、曲データの識別情報と再生位置情報の組み合わせをユーザに報知する態様は、表示に限らず音声メッセージを用いてもよい。また、ユーザに対して曲データの識別情報と再生位置情報の組み合わせを報知する際には、曲データの識別情報として曲名情報を、また、再生位置情報として、緯度・経度情報を変換して得た住所情報等を報知する構成とすることが望ましい。このような構成とすれば、思い出の曲を思い出の場所のみで再生できるようになる。
【００４２】
（２）本発明に係る再生装置は、コンピュータネットワークや通信回線等を介して曲データをサーバ等から直接取得する機能と、このようにして取得した曲データを再生する機能を兼ね備えた携帯電話機やモバイルコンピュータ等に適用することが可能である。ここで、携帯電話機の場合、現在位置情報や再生位置情報として、例えば、基地局ＩＤ等の無線エリアを指定するエリア指定情報を用いることができる。また、携帯電話機は、ハンドオーバに備え、自機が在圏している無線エリアをカバーする基地局に加え、付近の基地局から送信される電波の受信強度を測定している。そこで、再生装置として携帯電話機を用いる場合、携帯電話機では、付近に位置する３ヶ所以上の基地局からの電波の受信強度を測定し、その測定値に基づいて自機の位置を求め、このようにして求めた位置情報を現在位置情報や再生位置情報として用いてもよい。
【００４３】
また、このようにコンピュータネットワークや通信回線等を介して曲データをサーバ等から直接取得する機能を有する再生装置であれば、曲データの識別情報と、再生位置情報および再生日時情報とが再生位置登録テーブル３０に登録されているものの、該当する曲データ自体は既に自装置内から削除されてしまっている場合であっても、このような曲データをサーバから再度取得することが可能である。但し、この場合には、曲データの取得先となるサーバの通信アドレス（ＩＰアドレス等）を再生装置が保持している必要がある。
【００４４】
また、携帯電話機等を収容する移動通信網の中には、測位サーバ等を備え、移動通信網側で携帯電話機の位置を測定できるものがある。このような場合、携帯電話機は、自機の位置の測定を移動通信網に依頼し、測定された位置情報を通信によって移動通信網から取得すればよい。すなわち、携帯電話機（再生装置）は、必ずしも測位機能を備えている必要はなく、自機の位置情報を取得する機能を備えていればよい。
【００４５】
（３）上述した実施形態では、ポータブルＭＰ３プレイヤ１０を例示して説明を行ったが、本発明に係る再生装置は、ポータブルＣＤ（Compact Disk）プレイヤやポータブルＭＤ（Mini Disk）プレイヤ、ポータブルＤＶＤプレイヤ等に適用することもできる。すなわち、外部機器と通信を行って曲データを取得するのではなく、ＣＤやＭＤ等の記録媒体から曲データを読み出して再生する携帯型再生装置であってもよい。勿論、記録媒体はメモリカードであってもよい。
【００４６】
ところで、このように装置本体に装着された記録媒体から曲データを読み出して再生する携帯型再生装置において、図３に示した再生位置登録テーブル３０を用いて曲データの再生位置情報を管理する場合、曲データの識別情報と、再生位置情報および再生日時情報とが再生位置登録テーブル３０に登録されているものの、例えば、装着されている記録媒体が別の記録媒体と交換されてしまい、再生位置登録テーブル３０に登録された再生位置情報の中に現在位置情報と一致する再生位置情報があったものの、この再生位置情報と対応付けられている曲データが取得できない場合がある。このような場合を想定し、例えば、現在位置情報と比較する再生位置情報を、再生位置登録テーブル３０に登録されている再生位置情報のうち、携帯型再生装置に装着中の記録媒体に記憶されている曲データの再生位置情報のみに制限する構成としてもよい。勿論、携帯型再生装置が外部機器と通信を行って曲データを取得する機能を有しているのであれば、現在位置情報と比較する再生位置情報を、携帯型再生装置に装着中の記録媒体に記憶されている曲データの再生位置情報に制限する必要はない。
また、本発明に係る再生装置は、携帯型の再生装置に限定されず、例えば、車載用のオーディオ機器等、移動体に搭載されて曲データを再生する再生装置であってもよい。
【００４７】
（４）例えば、ポータブルＭＰ３プレイヤ１０において、再生された曲データの識別情報とその再生位置情報をパーソナルコンピュータを介して曲データ管理サーバ（管理装置）へと転送する一方、曲データ管理サーバでは、多数のポータブルＭＰ３プレイヤ１０から受信した曲データの識別情報とその再生位置情報のペア（組）を集計して、同じ場所（位置）で予め定められた回数以上再生された曲データを特定し、特定した曲データとその再生位置情報をポータブルＭＰ３プレイヤ１０へ送信する構成としてもよい。この場合、ポータブルＭＰ３プレイヤ１０は、曲データ管理サーバから曲データと再生位置情報を受信すると、受信した曲データと再生位置情報を対応付けて記憶部１０６に記憶する。勿論、曲データ管理サーバは、曲データ自体ではなく、曲データの識別情報を再生位置情報とともにポータブルＭＰ３プレイヤ１０へ送信する構成であってもよい。このような構成とすれば、ポータブルＭＰ３プレイヤ１０は、多数のユーザが同じ場所で聴いた曲を、その場所で再生できるようになる。勿論、このような曲データ再生システムにおいて、各ポータブルＭＰ３プレイヤ１０から曲データ管理サーバへ送信される曲データの識別情報とその再生位置情報は、変形例（１）で述べたように、ユーザが操作部１０３を操作して指定した、思い出の曲とその思い出の場所を示すもののみであってもよい。
【図面の簡単な説明】
【００４８】
【図１】ポータブルＭＰ３プレイヤ１０の構成を示すブロック図である。
【図２】曲データ２０のデータ構成を示す図である。
【図３】再生位置登録テーブル３０のデータ構成を示す図である。
【図４】ポータブルＭＰ３プレイヤ１０において実行される再生位置登録処理のフローチャートである。
【図５】ポータブルＭＰ３プレイヤ１０において実行される位置監視処理のフローチャートである。
【符号の説明】
【００４９】
１０…ポータブルＭＰ３プレイヤ、２０…曲データ、３０…再生位置登録テーブル、１０１…制御部、１０２…位置検出部、１０３…操作部、１０４…表示部、１０５…通信インタフェース、１０６…記憶部、１０７…サウンド処理部、１０８…デコード部、１０９…バッファ、１１０…信号処理部、１１１…Ｄ／Ａ変換器、１１２…アンプ、１１３…出力部。
【図１】
2006201478.tif 000003
【図２】
2006201478.tif 000004
【図３】
2006201478.tif 000005
【図４】
2006201478.tif 000006
【図５】
2006201478.tif 000007